(57)【特許請求の範囲】
【請求項１】
複数の主筋の外周にフープ筋をらせん状に巻き付けて前記主筋の軸方向に配筋してなる杭用スパイラル型フープ筋の構造であって、前記フープ筋に当該フープ筋を複数本重ねて束ねることにより形成された複数本重ね巻き部分と一本の当該フープ筋により形成された一本巻き部分が前記主筋の軸方向に交互に形成されてなることを特徴とする杭用スパイラル型フープ筋の構造。
【請求項２】
複数本重ね巻き部分または一本巻き部分は、主筋に対して直角またはほぼ直角に形成されてなることを特徴する請求項１記載の杭用スパイラル型フープ筋の構造。
【請求項３】
複数本重ね巻き部分は結束部材によって結束されてなることを特徴とする請求項１または２記載の杭用スパイラル型フープ筋の構造。
【請求項４】
複数の主筋とスパイラル型フープ筋を配筋してなるＲＣ杭の施工方法であって、フープ筋を複数本重ねて束ねることにより形成された複数本重ね巻き部分と一本の当該フープ筋により形成された一本巻き部分が前記主筋の軸方向に交互に形成されてなる杭用スパイラル型フープ筋を前記主筋の外周に取り付け、当該杭用スパイラル型フープ筋を前記主筋の軸方向に引き伸ばすことを特徴とするＲＣ杭の施工方法。
【発明の詳細な説明】
【技術分野】
【０００１】
本発明は杭用スパイラル型フープ筋の構造および当該杭用スパイラル型フープ筋をせん断補強筋として施工されるＲＣ杭の施工方法に関し、例えばＲＣ構造の基礎杭に適用される。
【背景技術】
【０００２】
近年、ＲＣ構造の基礎杭にはせん断補強筋としてフープ筋が主筋の外周にらせん状に巻き付けて配筋されることが多い。らせん状に配筋されたフープ筋（以下「スパイラル型フープ筋」という）は、せん断補強筋として作用するだけでなく、過大な軸圧縮力による主筋やコンクリートのはらみを防止する働きも有することから、主に軸圧縮力を受ける基礎杭などのＲＣ杭では非常に有効なせん断補強筋とされている。
【０００３】
ところで従来、例えば図３と図４にそれぞれ図示するように、この種のスパイラル型フープ筋２は所定間隔おきに配筋された複数の主筋１の外周にほぼ等間隔に配筋され、その配筋量はスパイラル型フープ筋２の径と配筋間隔（ピッチ）Ｐ１によって決定されている。
【０００４】
【特許文献１】特開２０００−６４６３０号公報
【特許文献２】特開平１１−１５２７４５号公報
【発明の開示】
【発明が解決しようとする課題】
【０００５】
しかし、スパイラル型フープ筋２の配筋量が多くなるに従って当該スパイラル型フープ筋２の鉄筋径が太くなると共に配筋ピッチＰ１が狭くなるため、鉄筋の配筋作業が困難になり、またコンクリート３の充填性が著しく低下する等の課題があった。
【０００６】
本発明は、以上の課題を解決するためになされたもので、必要なスパイラル型フープ筋の配筋量を確保しつつ、コンクリートの充填に必要な配筋間隔を広く確保できて、主筋およびスパイラル型フープ筋の隅々までコンクリートを確実に打設できるようにした杭用スパイラル型フープ筋の構造および当該杭用スパイラル型フープ筋を利用したＲＣ杭の施工方法を提供することを目的とするものである。
【課題を解決するための手段】
【０００７】
請求項１記載の杭用スパイラル型フープ筋の構造は、複数の主筋の外周にフープ筋をらせん状に巻き付けて前記主筋の軸方向に配筋してなる杭用スパイラル型フープ筋の構造であって、前記フープ筋に当該フープ筋を複数本重ねて束ねることにより形成された複数本重ね巻き部分と一本の当該フープ筋により形成された一本巻き部分が前記主筋の軸方向に交互に形成されてなることを特徴とするものである。
【０００８】
本発明は特に、主筋の外周にフープ筋を複数本重ねて束ねることにより形成された複数本重ね巻き部分において必要なせん断補強筋量を確保すると共に、複数本重ね巻き部分と複数本重ね巻き部分との間に一本の当該フープ筋によって形成された一本巻き部分にコンクリートの打設時に必要な間隔を広く確保することにより、コンクリートの充填に支障をきたさないようにしたものである。
【０００９】
一般に、杭頭半固定工法を用いた場合、上部躯体側から杭頭に伝わる曲げモーメントが大きく減少するため、杭径そのものを小さくすることができるが、せん断力は減少しないことからそのまま杭径を小さくすると、杭の断面積が減少して杭のせん断耐力が不足するため、その分せん断補強筋を密に配筋する必要がある。
【００１０】
この場合、およそ杭頭から５Ｄ（Ｄ；杭径）の範囲にせん断補強筋を密に配筋するのが望ましいが、このような部分に本発明のフープ筋を利用することで、コンクリートの充填に何ら支障をきたすことなく必要量のせん断補強筋を配筋することができる。
【００１１】
なお、複数本重ね巻き部分は少なくとも二回、必要に応じてそれ以上、フープ筋を主筋に巻き付けて形成されていてもよい。また、複数本重ね巻き部分および／または一本巻き部分が主筋に対して斜めに形成されていてもよい。
【００１２】
さらに、複数本重ね巻き部分は番線などの結束材を巻き付ける等して束ねてあればばらばらにならず、取り扱いが容易になる。また、複数本重ね巻き部分と一本巻き部分は１本の丸鋼または異形鉄筋からスパイラル状に連続して形成することができる。
【００１３】
請求項２記載の杭用スパイラル型フープ筋の構造は、請求項１記載の杭用スパイラル型フープ筋の構造において、複数本重ね巻き部分または一本巻き部分は、主筋に対して直角に形成されてなることを特徴とするものである。
【００１４】
請求項３記載の杭用スパイラル型フープ筋の構造は、請求項１または２記載の杭用スパイラル型フープ筋の構造において、複数本重ね巻き部分は結束部材によって結束されてなることを特徴とするものである。結束部材には番線を用いることができ、番線は複数本重ね巻き部分の外周にコイル状に巻き付けてもよく、あるいは所定間隔おきに巻き付けてもよい。
【００１５】
請求項４記載のＲＣ杭の施工方法は、複数の主筋とスパイラル型フープ筋を配筋してなるＲＣ杭の施工方法であって、フープ筋を複数本重ねて束ねることにより形成された複数本重ね巻き部分と一本の当該フープ筋により形成された一本巻き部分が前記主筋の軸方向に交互に形成されてなる杭用スパイラル型フープ筋を前記主筋の外周に取り付け、当該杭用スパイラル型フープ筋を前記主筋の軸方向に引き伸ばすことを特徴とするものである。
【００１６】
本発明は、上記した杭用スパイラル型フープ筋を主筋の外周に簡単に配筋できるようにしたものであり、この場合特に、複数本重ね巻き部分を番線などの結束材で束ねておけば、杭用スパイラル型フープ筋を主筋の軸方向に引き伸ばした際に、複数本重ね巻き部分が一本巻き部分とともに引き伸ばされることはなく、所定の間隔で配筋することができる。
【発明の効果】
【００１７】
本発明は特に、主筋の外周にフープ筋を複数本重ねて束ねることにより形成された複数本重ね巻き部分において必要なせん断補強筋量を確保することで、複数本重ね巻き部分と複数本重ね巻き部分との間に一本の当該フープ筋によって形成された一本巻き部分にコンクリートの打設時に必要な間隔を広く確保することができるため、コンクリートの充填に支障をきたさすことがない。
【００１８】
また、複数本重ね巻き部分は番線などの結束材を巻き付ける等して束ねてあればばらばらにならず、配筋がしやすく取り扱いが容易になる。
【発明を実施するための最良の形態】
【００１９】
図１と図２はＲＣ構造の杭を示し、特に図１（ａ），（ｂ）は円形断面に構築されたＲＣ構造の杭を、図２（ａ），（ｂ）は矩形断面形に構築されたＲＣ構造の杭をそれぞれ示している。
【００２０】
これらの図において、複数の主筋１が円形状または矩形状に所定間隔おきに配筋され、当該複数の主筋１の外周に杭用スパイラル型フープ筋２が配筋され、かつ当該主筋１およびスパイラル型フープ筋２の周囲にコンクリート３が打設されている。
【００２１】
杭用スパイラル型フープ筋２は、主筋１の外周に沿って当該主筋１の軸方向にスパイラル状に連続して形成されている。また、当該スパイラル型フープ筋２は主筋１の外周に二重に重ね巻きすることにより形成された複数本重ね巻き部分２ａと主筋１の外周に一回巻きすることにより形成された一本巻き部分２ｂとから主筋１の軸方向に連続して形成されている。
【００２２】
また、当該複数本重ね巻き部分２ａと一本巻き部分２ｂは主筋１の軸方向に交互に形成され、複数本重ね巻き部分２ａ，２ａは所定間隔Ｐ２おきに形成されている。さらに、複数本重ね巻き部分２ａは主筋１に対してほぼ直角に形成されていると共に、それぞれ番線などの結束線を巻き付けることによって束ねられている。一方、一本巻き部分２ｂは主筋１に対して斜めに形成されている。
【００２３】
なお、丸鋼または異形鉄筋からなる杭用スパイラル型フープ筋２の複数本重ね巻き部分２ａと一本巻き部分２ｂは、一本のフープ筋から主筋１の軸方向に連続して形成されている。
【００２４】
杭用スパイラル型フープ筋２がこのように形成されていることで、主に複数本重ね巻き部分２ａにおいて必要なせん断補強筋量が確保され、複数本重ね巻き部分２ａ，２ａ間の一本巻き部分２ｂにおいてコンクリートの打設時に必要な間隔（隙間）Ｐ２が広く確保されている。よって、コンクリート３の打設に際し、主筋１および杭用スパイラル型フープ筋２の周囲にコンクリート３を確実に打設することができる。
【００２５】
すなわち、従来のスパイラル型フープ筋２は、図３および図４からも明らかなように配筋量を多くするには配筋間隔Ｐ１を狭くする必要があるのに対し、本発明の場合は、複数本重ね巻き部分２ａの巻き数を多くして配筋量を増やすことができるため、複数本重ね巻き部分２ａ，２ａ間の間隔を狭くする必要はなく、このため複数本重ね巻き部分２ａ，２ａ間にコンクリートの打設時に必要な間隔（隙間）Ｐ２を広く確保することができる。
【００２６】
次に、当該杭用スパイラル型フープ筋２をせん断補強筋として利用したＲＣ構造の基礎杭の施工方法について説明すると、まず、所定間隔おきに配筋した複数の主筋１の外周に杭用スパイラル型フープ筋２を当該杭用スパイラル型フープ筋２の複数本重ね巻き部分２ａと一本巻き部分２ｂを互いに重ね合わせた状態で取り付け、当該杭用スパイラル型フープ筋２の一端側を固定する。
【００２７】
次に、当該杭用スパイラル型フープ筋２の他端側を主筋１の軸方向に引っ張って全体を主筋１の軸方向に引き伸ばし、主筋１の軸方向にスパイラル状に配筋する。
【００２８】
その際、杭用スパイラル型フープ筋２を引き伸ばす長さに応じて複数本重ね巻き部分２ａと２ａ間の一本巻き部分２ｂの間隙Ｐ２を自由に設定することができる。
【産業上の利用可能性】
【００２９】
本発明は、必要なスパイラル型フープ筋の配筋量を確保しつつ、コンクリートの充填に必要な配筋間隔も広く確保でき、主筋およびスパイラル型フープ筋の周囲の隅々までにコンクリートを確実に打設することができる。
【図面の簡単な説明】
【００３０】
【図１】円形断面に構築された本発明のＲＣ構造の杭を示し、（ａ）はその一部縦断面図、（ｂ）は横断面図である。
【図２】矩形断面に構築された本発明のＲＣ構造の杭を示し、（ａ）はその一部縦断面図、（ｂ）は横断面図である。
【図３】円形断面に構築された従来のＲＣ構造の杭を示し、（ａ）はその一部縦断面図、（ｂ）は横断面図である。
【図４】矩形断面に構築された従来のＲＣ構造の杭を示し、（ａ）はその一部縦断面図、（ｂ）は横断面図である。
【符号の説明】
【００３１】
１  主筋
２  杭用スパイラル型フープ筋
２ａ  複数本重ね巻き部分
２ｂ  一本巻き部分
３  コンクリート
【図１】
0004623519.tif 000002
【図２】
0004623519.tif 000003
【図３】
0004623519.tif 000004
【図４】
0004623519.tif 000005